(57)【要約】      （修正有）【課題】使用者の健康管理の一助となり得る室内環境表示装置を提供する。【解決手段】使用者が居住する室内の環境条件を、使用者の選択によりディスプレイ装置に表示する室内環境表示装置であって、画像を表示可能な表示部を有するディスプレイ装置１０１と、ディスプレイ装置が設置された室内の環境条件に応じた電気信号を生成可能な回路部を有し、回路部により生成された電気信号を環境情報として出力するセンサー装置１０２と、ディスプレイ装置とは別体に設けられ、使用者により操作されて起動信号を出力する操作部１０３と、起動信号に応じて作動して、センサー装置から環境情報を取得するとともに、環境情報をディスプレイ装置に対する指令信号に変換して出力する制御部１０４とを備える。【選択図】図２
0003231835.tif 000002
【実用新案登録請求の範囲】
【請求項１】
画像を表示可能な表示部を有するディスプレイ装置と、
前記ディスプレイ装置が設置された室内の環境条件に応じた電気信号を生成可能な回路部を有し、前記回路部により生成された電気信号を環境情報として出力するセンサー装置と、
前記ディスプレイ装置とは別体に設けられ、使用者により操作されて起動信号を出力する操作部と、
前記起動信号に応じて作動して、前記センサー装置から前記環境情報を取得するとともに、前記環境情報を前記ディスプレイ装置に対する指令信号に変換して出力する制御部とを備え、
前記ディスプレイ装置は、前記指令信号に応じて作動して、前記表示部に前記環境情報に応じた画像を表示することを特徴とする室内環境表示装置。
【請求項２】
前記センサー装置は、前記ディスプレイ装置に内蔵されていることを特徴とする、請求項１に記載の室内環境表示装置。
【請求項３】
前記センサー装置は、前記ディスプレイ装置とは別体に設けられ、前記環境情報を無線により出力する送信器を備え、
前記制御部は、前記環境情報を受信する受信器と、前記受信器により受信された環境情報を前記指令信号に変換する信号変換器とを備えることを特徴とする、請求項１に記載の室内環境表示装置。
【請求項４】
前記センサー装置の回路部は、前記環境条件として前記室内の温度または湿度に応じた電気信号を生成することを特徴とする、請求項１に記載の室内環境表示装置。
【請求項５】
前記ディスプレイ装置は、テレビ受像機であることを特徴とする、請求項１に記載の室内環境表示装置。
【請求項６】
前記操作部は、前記テレビ受像機のリモコン操作器に備わることを特徴とする、請求項５に記載の室内環境表示装置。
【請求項７】
前記ディスプレイ装置は、前記表示部において、前記環境情報に応じた画像として、前記室内の温度または湿度をその値に応じて異なる色または大きさを付して表示する領域を有することを特徴とする、請求項１に記載の室内環境表示装置。
【請求項８】
前記ディスプレイ装置は、前記表示部において、前記環境情報に応じた画像として、前記室内の温度または湿度を数字で表示するとともに、前記使用者に対する注意喚起のための付加情報を文字で表示する領域を有することを特徴とする、請求項１に記載の室内環境表示装置。
【考案の詳細な説明】
【技術分野】
【０００１】
本考案は、室内環境、特に使用者が居住する部屋の温度または湿度を、使用者の選択によりディスプレイ装置に表示する室内環境表示装置に関する。
【背景技術】
【０００２】
テレビ放送等の映像または画像を視認している際に、使用者が居住する部屋の温度または湿度を、リモコン操作器等の操作により、必要に応じて画面に表示することができると便利である。特に感染症拡大下において、高齢者等、感染症に対する免疫力が比較的低い使用者の場合は、温度または湿度等の室内環境の変化に対する注意喚起を行うことが、感染防止および健康維持のために望ましい。
【０００３】
特許文献１には、テレビ放送の視聴時に、表示部から視聴者までの距離（視聴距離）に応じて画面に字幕を表示し、音声情報を字幕により補完可能とした放送受信装置が開示されている。
【先行技術文献】
【特許文献】
【０００４】
【特許文献１】特開２０１２―０６０３００号公報
【考案の概要】
【考案が解決しようとする課題】
【０００５】
しかし、前掲特許文献１の放送受信装置は、視聴者が表示部から離れ、テレビ放送の音声情報を聞き取り難い場合に、字幕により情報を付加ないし補完することで、視聴者による放送内容の理解を促すものである。よって、視聴者ないし使用者の健康管理の一助となることを想定したものではない。
【０００６】
そこで、本考案は、使用者が居住する室内の環境条件を、使用者の選択によりディスプレイ装置に表示することで、使用者の健康管理の一助となり得る室内環境表示装置を提供することを目的とする。
【課題を解決するための手段】
【０００７】
請求項１に記載の考案にあっては、画像を表示可能な表示部を有するディスプレイ装置と、ディスプレイ装置が設置された室内の環境条件に応じた電気信号を生成可能な回路部を有し、前記回路部により生成された電気信号を環境情報として出力するセンサー装置と、ディスプレイ装置とは別体に設けられ、使用者により操作されて起動信号を出力する操作部と、起動信号に応じて作動して、センサー装置から環境情報を取得するとともに、環境情報をディスプレイ装置に対する指令信号に変換して出力する制御部とを備えて室内環境表示装置を構成し、ディスプレイ装置を指令信号に応じて作動させ、表示部に環境情報に応じた画像を表示することを特徴とする。
【０００８】
請求項２に記載の考案にあっては、センサー装置が、ディスプレイ装置に内蔵されていることを特徴とする。
【０００９】
請求項３に記載の考案にあっては、センサー装置が、ディスプレイ装置とは別体に設けられ、環境情報を無線により出力する送信器を備え、制御部が、環境情報を受信する受信器と、受信器により受信された環境情報を指令信号に変換する信号変換器とを備えることを特徴とする。
【００１０】
請求項４に記載の考案にあっては、センサー装置の回路部が、環境条件として室内の温度または湿度に応じた電気信号を生成することを特徴とする。
【００１１】
請求項５に記載の考案にあっては、ディスプレイ装置が、テレビ受像機であることを特徴とする。
【００１２】
請求項６に記載の考案にあっては、操作部が、テレビ受像機のリモコン操作器に備わることを特徴とする。
【００１３】
請求項７に記載の考案にあっては、ディスプレイ装置が、表示部において、環境情報に応じた画像として、室内の温度または湿度をその値に応じて異なる色または大きさを付して表示する領域を有することを特徴とする。
【００１４】
請求項８に記載の考案にあっては、ディスプレイ装置が、表示部において、環境情報に応じた画像として、室内の温度または湿度を数字で表示するとともに、使用者に対する注意喚起のための付加情報を文字で表示する領域を有することを特徴とする。
【考案の効果】
【００１５】
請求項１に記載の考案によれば、センサー装置に回路部を設け、この回路部により室内の環境条件に応じた電気信号を生成するとともに、生成された電気信号を環境情報として出力し、さらに、環境情報をディスプレイ装置に対する指令信号に変換して、ディスプレイ装置の表示部に、環境情報に応じた画像を表示する。
環境情報から指令信号への変換は、制御部により行われ、制御部は、この変換動作を操作部からの起動信号に応じて実行する。よって、使用者が居住する室内の環境情報を、その使用者の選択によりディスプレイ装置に画像として表示可能に構成されていることから、部屋の居住者、特に高齢者の健康管理の一助となり、使用者の健康の維持および増進を図ることが可能となる。
【００１６】
請求項２に記載の考案によれば、センサー装置がディスプレイ装置に内蔵されていることで、室内環境表示装置全体を簡素な構成にまとめることが可能となる。
【００１７】
請求項３に記載の考案によれば、センサー装置がディスプレイ装置とは別体に設けられることで、ディスプレイ装置からの発熱の影響がセンサー装置の動作に及ぶのを回避することが可能となる。
【００１８】
請求項４に記載の考案によれば、センサー装置の回路部が環境条件として室内の温度または湿度に応じた電気信号を出力することで、使用者に対し、その健康管理に特に有益な情報を表示することが可能となる。この場合、温度及び湿度の双方を表示するように構成してもよい。
【００１９】
請求項５に記載の考案によれば、ディスプレイ装置がテレビ受像機であることで、使用者は、テレビ放送を視聴しながら、迅速かつ容易に、室内の環境情報を随時確認することが可能となる。これにより、特に高齢者である使用者に対し、自宅の部屋でテレビ放送を視聴する日常のなかで、環境情報をテレビ受像機の画面上で常時確認し、自身の健康管理に反映させるように促すことが可能となる。
【００２０】
請求項６に記載の考案によれば、操作部がテレビ受像機のリモコン操作器に備わることで、テレビ放送の視聴と環境情報の表示とのそれぞれの操作のために個別の機器を用意することを不要として、使い勝手の向上を図るとともに、操作が煩雑となるのを回避することが可能となる。
【００２１】
請求項７に記載の考案によれば、環境情報に応じた画像として、室内の温度または湿度をその値に応じて異なる色または大きさを付して表示することで、室内の温度または湿度が注意を要する範囲にある場合に、通常時とは異なる色または大きさで表示するなどして、使用者に対する注意喚起を図ることが可能となる。
【００２２】
請求項８に記載の考案によれば、環境情報に応じた画像として、室内の温度または湿度を数字により表示するとともに、注意喚起のための付加情報を文字により表示することで、使用者に対し、室内の温度または湿度が健康に及ぼす影響に関する認識を促すことが可能となる。
【図面の簡単な説明】
【００２３】
【図１】図１は、本考案の一実施形態に係る室内環境表示装置の構成を示す概略図である。
【図２】図２は、同上実施形態に係る室内環境表示装置の構成をより詳細に示す模式図である。
【図３】図３は、同上実施形態に係る室内環境表示装置に備わるディスプレイ装置の画面に表示される画像の一例を示す概略図である。
【図４】図４は、同上実施形態に係る室内環境表示装置における制御部の動作を示すフローチャートである。
【図５】図５は、本考案の他の実施形態に係る室内環境表示装置の構成を示す概略図であり、図５（ａ）は、室内環境表示装置全体の構成を示し、同図（ｂ）は、センサー装置の構成を示す。
【図６】図６は、同上実施形態に係る室内環境表示装置におけるセンサー装置および制御部の動作を示すフローチャートである。
【図７】図７は、本考案の更に別の実施形態に係る室内環境表示装置の構成を示す概略図である。
【考案を実施するための形態】
【００２４】
以下に図面を参照して、本考案の実施の形態について説明する。
【００２５】
図１は、本考案の一実施形態に係る室内環境表示装置１ａの構成を示す概略図である。
【００２６】
図２は、本実施形態に係る室内環境表示装置１ａの構成を、センサー装置１０２および制御部１０４の内部構成を示すことでより詳細に示す模式図である。
【００２７】
本実施形態に係る室内環境表示装置１ａは、センサー装置１０２および制御部１０４の機能をディスプレイ装置１０１とは別体のものとして構成される機器に持たせた場合の一例である。後に述べるように、室内環境表示装置１ａの構成は、これに限定されるものではなく、これらの機能をディスプレイ装置１０１自体に持たせること、換言すれば、センサー装置１０２をディスプレイ装置１０１に内蔵したり、センサー装置１０２に代えるかまたはセンサー装置１０２に加えて、制御部１０４をディスプレイ装置１０１に内蔵したりすることも可能である。
【００２８】
室内環境表示装置１ａは、大別すると、ディスプレイ装置１０１と、センサー装置１０２と、操作部１０３と、制御部１０４とを備える。本実施形態では、これらの要素１０１〜１０４を無線により連係可能とするが、これらの全てまたはこれらのうち任意の２つまたは３つをケーブル等により有線接続可能であることは、勿論である。
【００２９】
ディスプレイ装置１０１は、表示部１１１と、筐体１１２とを有する。表示部１１１は、液晶方式または有機ＥＬ方式等、各種方式により映像ないし画像を表示可能である。本実施形態において、ディスプレイ装置１０１は、テレビ受像機であり、テレビ放送アンテナを内蔵する。表示部１１１は、ディスプレイ装置１０１がこのテレビ放送アンテナにより受信したテレビ放送を表示する。さらに、表示部１１１は、視聴者に対して横方向に長い矩形状をなし、筐体１１２は、矩形状の表示部１１１をその外周全体に亘って包囲する。
【００３０】
本実施形態では、ディスプレイ装置１０１が「ディスプレイ装置」に相当し、表示部１１１が「表示部」に相当する。
【００３１】
センサー装置１０２は、ディスプレイ装置１０１が設置されているのと同じ部屋に設置され、その室内の環境条件を電気的に検出する。センサー装置１０２の設置は、卓上配置方式または壁掛方式等、各種方式によることが可能である。本実施形態において、センサー装置１０２は、室内の環境条件として、室内の温度Ｔ［℃］および湿度Ｈ［％］を検出する。図１は、センサー装置１０２に備わる液晶表示部に、温度Ｔとして「３５℃」が、湿度Ｈとして「７０％」が上下並列に表示されている例を示す。
【００３２】
図２に示すように、センサー装置１０２は、室内の温度Ｔに対する感応性を有する温度センサー素子１２１と、室内の湿度Ｈに対する感応性を有する湿度センサー素子１２２とを有するとともに、温度センサー素子１２１および湿度センサー素子１２２夫々の状態に応じた電気信号を生成する検出回路１２３と、外部から送信された無線信号を受信するとともに、検出回路１２３により検出された電気信号を無線信号に変換し、環境情報として送信する送受信器１２４とを有する。
【００３３】
本実施形態では、センサー装置１０２が「センサー装置」に相当し、温度センサー素子１２１、湿度センサー素子１２２および検出回路１２３が「回路部」に相当する。
【００３４】
操作部１０３は、使用者、本実施形態では、テレビ受像機であるディスプレイ装置１０１の視聴者により操作され、次に述べる制御部１０４に対する起動信号を出力する。本実施形態において、操作部１０３は、ディスプレイ装置１０１とは別体に設けられ、ディスプレイ装置１０１を離れた位置から視聴する使用者によりリモート操作が可能である。
【００３５】
具体的には、操作部１０３は、ディスプレイ装置１０１（つまり、テレビ受像機）のリモコン操作器により形成され、室内環境表示装置１ａの起動信号を生成しおよび出力するための専用のボタン１３１を有する。この専用のボタン１３１は、テレビ受像機のチャンネル操作のために備わるボタン等とは別個に設けられ、操作部１０３は、使用者がボタン１３１を押すことにより室内環境表示装置１ａの起動信号を生成し、制御部１０４に向けてこれを出力するように構成されている。
【００３６】
本実施形態では、操作部１０３ないしリモコン操作器が「操作部」に相当する。
【００３７】
制御部１０４は、操作部１０３により出力された起動信号に応じて作動して、センサー装置１０２から無線信号を受信するとともに、この無線信号を電気的に変換して、環境情報（つまり、室内の温度Ｔおよび湿度Ｈ）を取得する。本実施形態において、制御部１０４は、ディスプレイ装置１０１、センサー装置１０２および操作部１０３のいずれとも別体のものとして構成され、操作部１０３から起動信号を受信するとともに、取得された環境情報をディスプレイ装置１０１に対する指令信号に変換し、変換後の指令信号を無線によりディスプレイ装置１０１に送信する。
【００３８】
具体的には、制御部１０４は、操作部１０３からの起動信号およびセンサー装置１０２からの変換前の環境情報（入力無線信号）を受信する第１送受信器１４１と、変換後の指令信号（出力無線信号）を送信する第２送受信器１４２とを備えるとともに、環境情報を指令信号に変換するとともに、第１および第２送受信器１４１、１４２の動作を制御する制御回路１４３を備える。制御部１０４がセンサー装置１０２等、他の周辺機器との間で行う通信には、ブルートゥース（登録商標）方式等、各種通信方式を採用することが可能である。本実施形態では、入力側と出力側とのそれぞれに送受信器１４１、１４２を備える例を示すが、このような構成に限らず、これら２つの送受信器１４１、１４２を１つの送受信器により具現することも可能である。
【００３９】
本実施形態では、センサー装置１０２に備わる送受信器１２４が「送信器」に相当し、制御部１０４に備わる第１送受信器１４１が「受信器」に、制御回路１４３が「信号変換器」に夫々相当する。
【００４０】
ディスプレイ装置１０１は、制御部１０４により出力された指令信号を受信するとともに、指令信号に応じて作動して、表示部１１１に、環境情報に応じた画像を表示する。
【００４１】
図３は、本実施形態に係る室内環境表示装置１ａに備わるディスプレイ装置１０１の表示部１１１に表示される画像の一例を示す概略図である。
【００４２】
本実施形態において、ディスプレイ装置１０１は、表示部１１１に、テレビ放送の映像ないし画像を表示する領域（以下「残余領域」という場合がある）Ｒｒのほか、室内の温度Ｔおよび湿度Ｈを数字で表示する第１領域Ｒ１と、使用者に対する注意喚起のための付加情報を文字で表示する第２領域Ｒ２とを有する。
【００４３】
図３は、第１領域Ｒ１および第２領域Ｒ２がいずれも使用者からみて横長の形状を有する帯状の領域として構成され、数字を表示する第１領域Ｒ１が文字を表示する第２領域Ｒ２よりも上方に位置する場合の例を示す。しかし、表示部１１１に設けられる領域Ｒ１、Ｒ２は、このような構成に限らず、帯状以外の形状を有するものであってもよい。さらに、文字を表示する第２領域Ｒ２を、数字を表示する第１領域Ｒ１よりも上方に配置することも可能である。
【００４４】
本実施形態では、第１領域Ｒ１において、環境情報に応じた画像として、室内の温度Ｔおよび湿度Ｈを、次に示すように数字により表示する。
「３５℃／７０％」
【００４５】
そして、第２領域Ｒ２において、使用者に対する注意喚起のための付加情報を、次に示す文字により表示する。
「熱中症に注意してください」
【００４６】
さらに、本実施形態では、表示部１１１の第１領域Ｒ１において、環境情報に応じた画像として、室内の温度Ｔおよび湿度Ｈをその値に応じて異なる色または大きさを付して表示する。例えば、室内の温度Ｔが高く、湿度Ｈも高いときほど、熱中症を発症する危険性が高まるとして、第１領域Ｒ１の面積を拡大して、温度Ｔおよび湿度Ｈを示す数字を大きく表示するとともに、第１領域Ｒ１における数字の背景色をより赤みの強い色に変更する。第１領域Ｒ１における数字の色とその背景色とは、異なる色に設定することが可能である。これに対し、例えば、室内の温度Ｔが低く、湿度Ｈも低いときほど、低体温症を発症する危険性が高まるとして、第１領域Ｒ１の面積を拡大して、温度Ｔおよび湿度Ｈを示す数字を大きく表示するとともに、第１領域Ｒ１における数字の背景色をより青みの強い色に変更する。背景色を変更することに代えて、温度Ｔまたは湿度Ｈを示す数字自体の色をそれぞれの値に応じて変更することも可能である。
【００４７】
第１領域Ｒ１に示す数字の色または大きさの変更に併せ、第２領域Ｒ２において、付加情報を示す文字の色または大きさを変更したり、第２領域Ｒ２における文字の背景色を変更したりすることも可能である。
【００４８】
さらに、領域Ｒ１、Ｒ２の色または大きさを変更することに代えるかまたはこれに加え、領域Ｒ１、Ｒ２を表示する位置を変更することも可能である。具体的には、温度Ｔが高く、湿度Ｈも高い場合等、環境条件が使用者の健康に与える影響が大きいと判断される場合に、領域（例えば、第２領域Ｒ２）を表示する際の面積を拡大するとともに、その位置を使用者の注意をより惹き易い表示部１１１の画面中央寄りに変更するのである。
【００４９】
図４は、本実施形態に係る室内環境表示装置１ａにおける制御部１０４の動作を示すフローチャートである。図４は、制御部１０４の動作をＳ２〜Ｓ５に示し、説明の便宜上、使用者が行う操作をＳ１に、使用者による操作の結果としてディスプレイ装置１０１が行う動作をＳ６に示す。
【００５０】
Ｓ１では、使用者が操作部１０３に備わるボタン１３１を操作する。これにより、操作部１０３は、制御部１０４に対する起動信号を生成し、送信する。
【００５１】
Ｓ２では、操作部１０３により送信された起動信号を受信する。
【００５２】
Ｓ３では、センサー装置１０２と通信し、センサー装置１０２に対して環境情報の無線送信を促すとともに、センサー装置１０２から送信された環境情報を受信する。
【００５３】
Ｓ４では、受信された環境情報を変換して、ディスプレイ装置１０１に対する指令信号を生成する。
【００５４】
Ｓ５では、生成された指令信号を出力する。
【００５５】
Ｓ６では、ディスプレイ装置１０１が指令信号を受信し、表示部１１１に、環境情報およびこれに相関する付加情報を表示する。
【００５６】
本実施形態に係る室内環境表示装置１ａは、以上の構成を有し、以下に、本実施形態により得られる効果について説明する。
【００５７】
テレビ放送等の映像または画像を視認している際に、使用者が居住する部屋の温度または湿度を、テレビ受像機のリモコン操作器等の操作により、必要に応じて画面に表示することができると便利である。特に感染症拡大下において、高齢者等、感染症に対する免疫力が比較的低い使用者の場合は、温度または湿度等の室内環境の変化に対する注意喚起を行うことが、感染防止および健康維持のために望ましい。
【００５８】
これに対し、本実施形態によれば、センサー装置１０２に温度センサー素子１２１、湿度センサー素子１２２および検出回路１２３を設け、これらの要素により室内の環境条件に応じた電気信号を生成するとともに、生成された電気信号を送受信器１２４により環境情報として出力し、さらに、出力された環境情報をディスプレイ装置１０１に対する指令信号に変換して、ディスプレイ装置１０１の表示部１１１に、環境情報に応じた画像を表示する。ここで、環境情報から指令信号への変換は、制御部１０４により実行され、制御部１０４は、この変換動作を、操作部１０３からの起動信号に応じて実行する。よって、使用者が居住する室内の環境条件を、その使用者の選択によりディスプレイ装置１０１に表示可能として、部屋の居住者、特に高齢者の健康管理の一助となり、使用者の健康の維持および増進を図ることが可能となる。
【００５９】
センサー装置１０２がディスプレイ装置１０１とは別体に設けられることで、ディスプレイ装置１０１からの発熱の影響がセンサー装置１０２、特に温度センサー素子１２１および湿度センサー素子１２２の動作に及ぶ事態を回避することが可能となる。
【００６０】
センサー装置１０２に温度センサー素子１２１および湿度センサー素子１２２を設けるとともに、検出回路１２３によりこれらのセンサー素子１２１、１２２の状態変化を検知し、環境条件として室内の温度Ｔおよび湿度Ｈに応じた電気信号を出力することで、使用者に対し、その健康管理に特に有益な情報を表示することが可能となる。
【００６１】
ディスプレイ装置１０１がテレビ受像機であることで、使用者は、テレビ放送を視聴しながら、迅速かつ容易に、室内の環境情報を随時確認することが可能となる。これにより、特に高齢者である使用者に対し、自宅の部屋でテレビ放送を視聴する日常のなかで、環境情報をテレビ受像機の画面上で常時確認し、自身の健康管理に反映させるように促すことが可能となる。
【００６２】
操作部１０３がテレビ受像機のリモコン操作器に備わることで、テレビ放送の視聴と環境情報の表示とのそれぞれの操作のために個別の機器を用意することを不要として、使い勝手の向上を図るとともに、操作が煩雑となるのを回避することが可能となる。
【００６３】
環境情報に応じた画像として、室内の温度Ｔまたは湿度Ｈをその値に応じて異なる色または大きさを付して表示することで、室内の温度Ｔまたは湿度Ｈが注意を要する範囲にある場合に、通常時とは異なる色または大きさで表示するなどして、使用者に対する注意喚起を図ることが可能となる。
【００６４】
ディスプレイ装置１０１の表示部１１１に、第１領域Ｒ１および第２領域Ｒ２を設け、環境情報に応じた画像として、第１領域Ｒ１には室内の温度Ｔまたは湿度を数字により表示する一方、第２領域Ｒ２には注意喚起のための付加情報を文字により表示することで、使用者に対し、室内の温度Ｔまたは湿度Ｈが健康に及ぼす影響に関する認識を積極的に促すことが可能となる。
【００６５】
以上の説明では、センサー装置１０２および制御部１０４の機能を、ディスプレイ装置１０１とは別体のものとして構成される機器に持たせた。しかし、先に述べたように、室内環境表示装置の構成は、これに限定されるものではなく、これらの機能のいずれか一方または双方を、ディスプレイ装置１０１自体に持たせることも可能である。
【００６６】
図５は、本考案の他の実施形態に係る室内環境表示装置１ｂの構成を示す概略図であり、センサー装置１０２をディスプレイ装置１０１に内蔵することにより、センサー装置１０２の機能をディスプレイ装置１０１に持たせた場合の一例を示す。図５（ａ）は、本実施形態に係る室内環境表示装置１ｂ全体の構成を示し、同図（ｂ）は、センサー装置（以下、本実施形態に係る室内環境表示装置１ｂにおいて「内部センサー装置」という）１０２の構成を示す。
【００６７】
内部センサー装置１０２は、図１に示す先の実施形態と同様の構成である温度センサー素子１２１、湿度センサー素子１２２、検出回路１２３および送受信器１２４に加え、本実施形態に特有の構成として、排気ファン１２５を備える。温度センサー素子１２１、湿度センサー素子１２２、検出回路１２３および送受信器１２４のそれぞれが有する機能およびこれら相互の関係は、ディスプレイ装置１０１の筐体１１２内部に配置される点を除き、先の実施形態と同様である。よって、内部センサー装置１０２が「センサー装置」に相当し、温度センサー素子１２１、湿度センサー素子１２２および検出回路１２３が「回路部」に相当することも、先の実施形態と同様である。
【００６８】
排気ファン１２５は、ディスプレイ装置１０１の筐体１１２外部の空気、つまり、室内の空気を筐体１１２内部に引き込むとともに、温度センサー素子１２１および湿度センサー素子１２２、さらに、検出回路１２３近傍を通過させ、その後、筐体１１２外部に排出するものである。本実施形態において、筐体１１２には、室内の空気を導入する際の通気口となるディスプレイ前面吸気口Ｐｉｎｔが形成されるとともに、筐体１１２内部に引き込まれた空気を外部に排出する際の通気口となるディスプレイ背面排気口Ｐｅｘｔが形成される。図５（ｂ）は、筐体１１２内部に引き込まれ、その後、外部に排出される空気の流れを、矢印Ａにより示す。
【００６９】
さらに、排気ファン１２５は、電動モータ一体型のものとして構成され、筐体１１２内部を通過する空気の流れに対して回路部、つまり、温度センサー装置１２１、湿度センサー素子１２２および検出回路１２３の下流側、本実施形態では、ディスプレイ背面排気口Ｐｅｘｔの上流側かつその近傍に配置される。排気ファン１２５は、その作動に際して室内の空気を筐体１１２内部に引き込むものであることから、空気導入ファンとして位置付けることも可能である。
【００７０】
図６は、本実施形態に係る室内環境表示装置１ｂにおける内部センサー装置１０２および制御部１０４の動作を示すフローチャートである。図６は、内部センサー装置１０２の動作をＳ１１〜Ｓ１３に示し、制御部１０４の動作をＳ２〜Ｓ５に示す。さらに、説明の便宜上、使用者が行う操作をＳ１に、使用者による操作の結果としてディスプレイ装置１０１が行う動作をＳ６に示す。Ｓ１〜Ｓ６のそれぞれで行う動作は、図４に示すフローチャートの対応するステップで行うのと同様である。図４に示すフローチャートとの相違点について主に説明する。
【００７１】
Ｓ１で使用者が操作部１０３に備わるボタン１３１を操作し、Ｓ２で制御部１０４が起動信号を受信すると、内部センサー装置１０２がこれに応答して、排気ファン１２５を起動する。排気ファン１２５の起動は、操作部１０３からの起動信号に同期したものであってもよいが、ディスプレイ装置１０１の起動、つまり、ディスプレイ装置１０１に対する電源の投入によるものであってもよい。
【００７２】
Ｓ１２では、室内の空気をディスプレイ装置１０１の筐体１１２内部に引き込む。これにより、温度センサー素子１２１および湿度センサー素子１２２の近傍を室内の空気が通過し、それぞれの素子１２１、１２２の状態に変化が生じる。
【００７３】
Ｓ１３では、検出回路１２３により温度センサー素子１２１および湿度センサー素子１２２夫々の状態に応じた電気信号を生成し、これを室内の温度Ｔおよび湿度Ｈを示す信号として出力する。
【００７４】
Ｓ３で制御部１０４が環境情報を受信すると、先の実施形態と同様に、ディスプレイ装置１０１に対する指令信号を生成し（Ｓ４）、生成された指令信号を出力する（Ｓ５）。そして、ディスプレイ装置１０１が指令信号を受信すると、表示部１１１に、環境情報およびこれに相関する付加情報を表示する。
【００７５】
このように、センサー装置（内部センサー装置）１０２をディスプレイ装置１０１に内蔵することで、室内環境表示装置１ｂ全体を簡素な構成にすることが可能となる。
【００７６】
そして、センサー装置１０２だけでなく、センサー装置１０２および制御部１０４をディスプレイ装置１０１に内蔵した場合には、これら双方の機能をディスプレイ装置１０１に持たせることも可能である。センサー装置１０２および制御部１０４の双方をディスプレイ装置１０１に内蔵した場合には、室内環境表示装置１ｂ全体の構成をより簡素なものとすることが可能となる。
【００７７】
制御部１０４の機能は、ディスプレイ装置１０１に持たせることも可能であるし、先の実施形態（図１、図２）と同様に、ディスプレイ装置１０２とは別体のものとして構成される機器に持たせることも可能である。さらに、制御部１０４の機能は、制御部１０４を操作部１０３に内蔵することにより、操作部１０３に持たせることも可能である。
【００７８】
以上の説明では、制御部１０４に対する起動信号を出力する操作部１０３の機能を、テレビ受像機であるリモコン操作器に持たせた。しかし、これに限らず、操作部１０３の機能を他の電子デバイスに持たせること、換言すれば、操作部１０３を他の電子デバイスにより具現することも可能である。
【００７９】
図７は、本考案の更に別の実施形態に係る室内環境表示装置１ｃの構成を示す概略図であり、操作部１０５を、他の電子デバイスであるスマートフォンにより具現する場合の一例を示す。
【００８０】
操作部１０５を具現可能な電子デバイスとして、スマートフォン以外に、タブレット型等、各種携帯端末を例示することが可能である。
【符号の説明】
【００８１】
１ａ、１ｂ、１ｃ…室内環境表示装置
１０１…ディスプレイ装置
１０４…制御部
１１１…表示部
１１２…筐体
１０２…センサー装置
１２１…温度センサー素子
１２２…湿度センサー素子
１２３…検出回路
１２４…送受信器
１２５…排気ファン
１０３…操作部
１３１…ボタン
１０４…制御部
１４１…第１送受信器
１４２…第２送受信器
１４３…制御回路
１０５…電子デバイス（スマートフォン）
Ｒｒ…残余領域
Ｒ１…第１領域
Ｒ２…第２領域
Ｐｉｎｔ…ディスプレイ前面吸気口
Ｐｅｘｔ…ディスプレイ背面排気口
【図１】
0003231835.tif 000003
【図２】
0003231835.tif 000004
【図３】
0003231835.tif 000005
【図４】
0003231835.tif 000006
【図５】
0003231835.tif 000007
【図６】
0003231835.tif 000008
【図７】
0003231835.tif 000009